【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
光学系を介した撮像により生成された入力画像を取得する取得ステップと、
前記光学系の撮影条件に対応する点像強度分布関数の近似に使用され、前記入力画像に平行な一方向に関して非対称な分布を形成し得る関数の係数データを用いて前記点像強度分布関数を再構成する再構成ステップと、
前記再構成ステップにおいて再構成された点像強度分布関数の情報に基づいて生成されたフィルタを用いて前記入力画像に対するアンシャープマスク処理を行う処理ステップと、
を有し、
前記フィルタは２次元のタップのデータを持つことを特徴とする画像処理方法。
【請求項２】
前記アンシャープマスク処理を行う処理ステップは、
前記再構成ステップにおいて再構成された前記点像強度分布関数の情報に基づいて生成されたフィルタを、前記光学系を介した撮像により生成された入力画像に適用した画像と、前記入力画像との差分をとることによって補正信号を生成する生成ステップと、
前記生成ステップにおいて生成された前記補正信号を定数倍して前記入力画像に加算することにより、または、前記生成ステップにおいて生成された前記補正信号を前記入力画像の位置に応じた調整係数を用いて調整して前記入力画像に加算することによって前記入力画像を鮮鋭化する鮮鋭化ステップと、
を有し、
前記フィルタはアンシャープマスクであることを特徴とする請求項１に記載の画像処理方法。
【請求項３】
前記アンシャープマスク処理を行う処理ステップは、
前記再構成ステップにおいて再構成された前記点像強度分布関数と理想点像との差分情報に基づいて前記フィルタを生成するステップと、
前記フィルタを、前記光学系を介した撮像により生成された入力画像に畳み込み積分することによって補正信号を生成する生成ステップと、
前記生成ステップにおいて生成された前記補正信号を定数倍して前記入力画像に加算することにより、または、前記生成ステップにおいて生成された前記補正信号を前記入力画像の位置に応じた調整係数を用いて調整して前記入力画像に加算することによって前記入力画像を鮮鋭化する鮮鋭化ステップと、
を有することを特徴とする請求項１に記載の画像処理方法。
【請求項４】
前記アンシャープマスク処理を行う処理ステップは、
前記再構成ステップにおいて再構成された前記点像強度分布関数と理想点像との差分情報を定数倍して前記理想点像に加算することにより、または、前記再構成ステップにおいて再構成された前記点像強度分布関数と理想点像との差分情報を前記入力画像の位置に応じた調整係数を用いて調整して、前記理想点像に加算することによって前記フィルタを生成する生成ステップと、
前記生成ステップが生成した前記フィルタを前記入力画像に畳み込み積分することによって前記入力画像を鮮鋭化する鮮鋭化ステップと、
を有することを特徴とする請求項１に記載の画像処理方法。
【請求項５】
前記アンシャープマスク処理を行う処理ステップは、
１と定数の和と理想点像の積と、前記再構成ステップにおいて再構成された前記点像強度分布関数と前記定数の積との差分情報に基づいて、または、前記入力画像の位置に応じた調整係数を用いて調整された理想点像と、前記調整係数を用いて調整された前記点像強度分布関数との差分情報に基づいて前記フィルタを生成する生成ステップと、
前記生成ステップによって生成された前記フィルタを前記入力画像に畳み込み積分することによって前記入力画像を鮮鋭化する鮮鋭化ステップと、
を有することを特徴とする請求項１に記載の画像処理方法。
【請求項６】
前記撮影条件は、像高、焦点距離、Ｆ値、および被写体距離のうち少なくとも一つを含むことを特徴とする請求項１乃至５のうちいずれか１項に記載の画像処理方法。
【請求項７】
前記係数データは前記点像強度分布関数の対称性を変化させる係数を含むことを特徴とする請求項１乃至５のうちいずれか１項に記載の画像処理方法。
【請求項８】
前記再構成ステップは、複数の撮影条件で利用する基準分布と分布形状を変化させるフィルタの畳み込みによって前記点像強度分布関数を再構成することを特徴とする請求項１乃至５のうちいずれか１項に記載の画像処理方法。
【請求項９】
前記鮮鋭化ステップは、前記入力画像を構成する複数の色成分のうちの各色成分または特定の色成分に対して鮮鋭化を行うことを特徴とする請求項２乃至５のうちいずれか１項に記載の画像処理方法。
【請求項１０】
前記入力画像は、色成分ごとに離散的に規則配列された画像データであり、前記再構成ステップおよび前記鮮鋭化ステップは、補正対象の色成分について補間した画像に対して行うことを特徴とする請求項２乃至５のうちいずれか１項に記載の画像処理方法。
【請求項１１】
前記再構成ステップは、前記入力画像に設定された複数の領域のそれぞれについて少なくとも２点の像高における前記点像強度分布関数を再構成し、
前記画像処理方法は、前記入力画像の前記複数の領域と対応する再構成された前記点像強度分布関数から得られる複数の画像データを用いて像高方向に補間処理を行って１つの画像データを生成する補間ステップを更に有し、
前記生成ステップは、前記補間ステップによって生成された前記１つの画像データを用いて前記補正信号を生成することを特徴とする請求項２乃至５のうちいずれか１項に記載の画像処理方法。
【請求項１２】
前記再構成ステップは、前記入力画像に設定された複数の領域のそれぞれについて少なくとも２点の像高における前記点像強度分布関数を再構成し、前記生成ステップは、再構成された複数の点像強度分布関数に基づいて複数の補正信号を生成し、
前記画像処理方法は、前記複数の補正信号を像高方向に補間処理を行って１つの補正信号を生成する補間ステップを更に有し、
前記鮮鋭化ステップは、前記１つの補正信号を、前記入力画像に適用することによって前記入力画像を鮮鋭化することを特徴とする請求項２乃至５のうちいずれか１項に記載の画像処理方法。
【請求項１３】
前記再構成ステップは、前記入力画像に設定された複数の領域のそれぞれについて少なくとも２点の像高における前記点像強度分布関数を再構成し、前記生成ステップは、再構成された複数の点像強度分布関数に基づいて複数の補正信号を生成し、前記鮮鋭化ステップは、前記複数の補正信号をそれぞれ前記入力画像に適用することによって複数の鮮鋭化後の画像を取得し、
前記画像処理方法は、前記複数の鮮鋭化後の画像を像高方向に補間処理を行って１つの鮮鋭化後の画像を生成する補間ステップを更に有することを特徴とする請求項２乃至５のうちいずれか１項に記載の画像処理方法。
【請求項１４】
コンピュータに、請求項１乃至１３のうちいずれか１項に記載の画像処理方法を実行させるための画像処理プログラム。
【請求項１５】
光学系を介した撮像により生成された入力画像を取得する取得手段と、
前記光学系の撮影条件に対応する点像強度分布関数の近似に使用され、前記入力画像に平行な一方向に関して非対称な分布を形成し得る関数の係数データを用いて前記点像強度分布関数を再構成する再構成手段と、
前記再構成手段によって再構成された点像強度分布関数の情報に基づいて生成されたフィルタを用いて前記入力画像に対するアンシャープマスク処理を行う処理手段と、
を有し、
前記フィルタは２次元のタップのデータを持つことを特徴とする画像処理装置。
【請求項１６】
前記アンシャープマスク処理を行う処理手段は、
前記再構成手段によって再構成された前記点像強度分布関数の情報に基づいて生成されたフィルタを、前記入力画像に適用した画像と、前記入力画像との差分をとることによって補正信号を生成する生成手段と、
前記生成手段により生成された前記補正信号を定数倍して前記入力画像に加算することにより、または、前記生成手段により生成された前記補正信号を前記入力画像の位置に応じた調整係数を用いて調整して前記入力画像に加算することによって前記入力画像を鮮鋭化する鮮鋭化手段と、
を有し、
前記フィルタはアンシャープマスクであることを特徴とする請求項１５に記載の画像処理装置。
【請求項１７】
前記アンシャープマスク処理を行う処理手段は、
前記再構成手段によって再構成された前記点像強度分布関数と理想点像との差分情報に基づいて前記フィルタを生成し、前記フィルタを前記入力画像に畳み込み積分することによって補正信号を生成する生成手段と、
前記生成手段により生成された前記補正信号を定数倍して前記入力画像に加算することにより、または、前記生成手段により生成された前記補正信号を前記入力画像の位置に応じた調整係数を用いて調整して前記入力画像に加算することによって前記入力画像を鮮鋭化する鮮鋭化手段と、
を有することを特徴とする請求項１５に記載の画像処理装置。
【請求項１８】
前記アンシャープマスク処理を行う処理手段は、
前記再構成手段によって再構成された前記点像強度分布関数と理想点像との差分情報を定数倍して前記理想点像に加算することにより、または、前記再構成手段によって再構成された前記点像強度分布関数と理想点像との差分情報を、前記入力画像の位置に応じた調整係数を用いて調整して、前記理想点像に加算することによって前記フィルタを生成する生成手段と、
前記生成手段が生成した前記フィルタを前記入力画像に畳み込み積分することによって前記入力画像を鮮鋭化する鮮鋭化手段と、
を有することを特徴とする請求項１５に記載の画像処理装置。
【請求項１９】
前記アンシャープマスク処理を行う処理手段は、
１と定数の和と理想点像の積と、前記再構成手段によって再構成された前記点像強度分布関数と前記定数の積との差分情報に基づいて、または、前記入力画像の位置に応じた調整係数を用いて調整された理想点像と、前記調整係数を用いて調整された前記点像強度分布関数との差分情報に基づいて前記フィルタを生成する生成手段と、
前記生成手段によって生成された前記フィルタを前記入力画像に畳み込み積分することによって前記入力画像を鮮鋭化する鮮鋭化手段と、
を有することを特徴とする請求項１５に記載の画像処理装置。
【請求項２０】
請求項１５乃至１９のうちいずれか１項に記載の画像処理装置を有することを特徴とする撮像装置。
【手続補正２】
【補正対象書類名】明細書
【補正対象項目名】０００７
【補正方法】変更
【補正の内容】
【０００７】
本発明の画像処理方法は、光学系を介した撮像により生成された入力画像を取得する取得ステップと、前記光学系の撮影条件に対応する点像強度分布関数の近似に使用され、前記入力画像に平行な一方向に関して非対称な分布を形成し得る関数の係数データを用いて前記点像強度分布関数を再構成する再構成ステップと、前記再構成ステップにおいて再構成された点像強度分布関数の情報に基づいて生成されたフィルタを用いて前記入力画像に対するアンシャープマスク処理を行う処理ステップと、を有し、前記フィルタは２次元のタップのデータを持つことを特徴とする。